(57)【要約】【課題】構造物と道路のアスファルト層との境界に植物が発生することを抑制できる、植物発生抑制具および植物発生抑制具の施工方法を提供する。【解決手段】土６の上に、歩道のアスファルト層５が形成され、さらに、歩道のアスファルト層５を挟むようにしてアスファルト層５の両側に歩車道境界ブロック４が形成されている。歩車道境界ブロック４と道路のアスファルト層との境界に挿入可能に構成された本体２と、本体の縁部から突出した第１の突出片３Ａおよび第２の突出片３Ｂとを備える植物発生抑制具１の本体２を、歩車道境界ブロック４と歩道のアスファルト層５との境界に挿入する。第１の突出片３Ａと第２の突出片３Ｂを、境界よりも外側に位置する、歩車道境界ブロック４の一部およびアスファルト層５の一部に接触させる。境界に挿入した本体２を、木ネジ７で境界に固定する。【選択図】図３
2014070368.tif 000002
【特許請求の範囲】
【請求項１】
構造物と道路のアスファルト層との境界に挿入可能に構成された本体と、
該本体の縁部から突出した突出片とを備える
植物発生抑制具。
【請求項２】
前記突出片は弾性を有する
請求項１に記載の植物発生抑制具。
【請求項３】
前記突出片から前記本体へ向かう断面形状が略Ｔ字形状である
請求項１または請求項２に記載の植物発生抑制具。
【請求項４】
前記本体の略鉛直方向の断面形状が、くさび形状である
請求項１〜３のいずれか１つに記載の植物発生抑制具。
【請求項５】
構造物と道路のアスファルト層との境界に、本体と、該本体の縁部から突出した突出片とを有する植物発生抑制具の同本体を挿入して、前記突出片を、前記境界よりも外側に位置する、前記構造物の一部および前記アスファルト層の一部に接触させる工程と、
前記境界に挿入した前記本体を前記境界に固定する工程とを備える
植物発生抑制具の施工方法。
【発明の詳細な説明】
【技術分野】
【０００１】
本発明は植物発生抑制具および植物発生抑制具の施工方法に関する。詳しくは、例えば歩車道境界ブロックと道路のアスファルト層の境界から雑草などが発生することを抑制する植物発生抑制具および植物発生抑制具の施工方法に係るものである。
【背景技術】
【０００２】
構造物例えば歩車道境界ブロックと、道路のアスファルト層とが接する部分は、アスファルト層が夏季の高温で膨張したり、冬季の低温で収縮したりして、徐々に隙間が生じる。
そして、この隙間に雑草などの植物の種子が飛来して、さらに降雨などによって水分がこの隙間に供給されると、植物は発芽して繁茂する。
【０００３】
このような隙間に雑草などの植物が繁茂すると、歩行などの邪魔になったり、雑草によって歩車道境界ブロックなどが隠れてしまったりして、問題であった。
【０００４】
そこで、このような問題を解消するため様々な技術が提案されており、例えば特許文献１には、歩車道境界ブロックと道路のアスファルト層とが接する部分において、雑草が発生することを防止するために、図５に示すような雑草防止型歩車道境界ブロックが記載されている。
【０００５】
すなわち、この雑草防止型歩車道境界ブロック１０１には、歩道側の上端部コーナーに、切り込み１０２が設けられており、歩道のアスファルト層が切り込み１０２に重なり合うように敷設され、切り込み１０２によって、歩車道境界ブロック１０１とアスファルト層との間を開きにくくし、その接合部からの雑草の発生を防ぐものである。
【先行技術文献】
【特許文献】
【０００６】
【特許文献１】特開平１０−０８２０１２号公報
【発明の概要】
【発明が解決しようとする課題】
【０００７】
しかしながら、特許文献１に記載の歩車道境界ブロックのように、切欠きを設けても、歩車道境界ブロックとアスファルト層とを完全に密着させることはできず、両者が接する部分には依然として隙間が生じていた。
【０００８】
本発明は、以上の点に鑑みて創案されたものであり、構造物と道路のアスファルト層との境界に植物が発生することを抑制できる、植物発生抑制具および植物発生抑制具の施工方法を提供することを目的とする。
【課題を解決するための手段】
【０００９】
上記の目的を達成するために、本発明の植物発生抑制具は、構造物と道路のアスファルト層との境界に挿入可能に構成された本体と、該本体の縁部から突出した突出片とを備える。
【００１０】
ここで、構造物と道路のアスファルト層との境界に挿入可能に構成された本体によって、構造物と道路のアスファルト層との境界を本体で埋めることができる。
また、本発明で言う「構造物と道路のアスファルト層との境界に挿入可能に構成」とは、境界に挿入できる厚みを有することは勿論、これ以上挿入できない位置まで本体を挿入したときに、突出片が境界の外に位置し、かつ、突出片が構造物やアスファルト層に沿って接触できる位置にあるほどの高さを本体が有することを意味する。
【００１１】
また、本体の縁部から突出した突出片によって、構造物と道路のアスファルト層との境界の外側に位置する、構造物の一部や道路のアスファルト層の一部に突出片を接触させて、本体と構造物の僅かな隙間、および、本体とアスファルト層の僅かな隙間に、構造物やアスファルト層を伝って水が浸入することを抑制できる。
【００１２】
また、本発明の植物発生抑制具において、突出片は弾性を有する場合、例えば、構造物の上面の方が、アスファルト層の上面よりも高い位置にある場合のように、互いの高さが異なっていても、突出片は、構造物の一部やアスファルト層の一部に沿って接触することができる。
【００１３】
また、本発明の植物発生抑制具において、突出片から本体へ向かう断面形状が略Ｔ字形状である場合、例えば構造物の上面とアスファルト層の上面が略同一平面上に位置するときに、構造物の上部、境界、およびアスファルト層の上部これら全体の略鉛直方向の断面形状が略Ｔ字形状であるから、本体を境界に挿入するだけですぐに、突出片を構造物とアスファルト層の両方に沿って接触させることができる。
【００１４】
また、本発明の植物発生抑制具において、本体の略鉛直方向の断面形状が、くさび形状である場合、例えば構造物とアスファルト層との境界の上方領域が、構造物とアスファルト層との境界の下方領域よりも大きく開いてしまったときでも、本体の略鉛直方向の断面形状と境界の略鉛直方向の断面形状とが略同じなので、本体と境界との間の隙間を低減できる。
【００１５】
また、上記の目的を達成するために、本発明の植物発生抑制具の施工方法は、構造物と道路のアスファルト層との境界に、本体と、該本体の縁部から突出した突出片とを有する植物発生抑制具の同本体を挿入して、前記突出片を、前記境界よりも外側に位置する、前記構造物の一部および前記アスファルト層の一部に接触させる工程と、前記境界に挿入した前記本体を前記境界に固定する工程とを備える。
【００１６】
ここで、構造物と道路のアスファルト層との境界に、本体と、本体の縁部から突出した突出片とを有する植物発生抑制具の本体を挿入して、突出片を、境界よりも外側に位置する、構造物の一部およびアスファルト層の一部に接触させる工程によって、構造物と道路のアスファルト層との境界を本体で埋めることができ、さらに、本体と構造物の僅かな隙間、および、本体とアスファルト層の僅かな隙間に、構造物やアスファルト層を伝って水が浸入することを抑制できる。
【発明の効果】
【００１７】
本発明に係る植物発生抑制具は、構造物と道路のアスファルト層との境界に植物が発生することを抑制できる。
本発明に係る植物発生抑制具の施工方法は、構造物と道路のアスファルト層との境界に植物が発生することを抑制できる。
【図面の簡単な説明】
【００１８】
【図１】本発明を適用した植物発生抑制具の一例を示す概略斜視図である。
【図２】図１に示した植物発生抑制具の概略拡大正面図である。
【図３】本発明を適用した植物発生抑制具を、歩車道境界ブロックとアスファルト層との境界に施工する様子の一例を示す概略図（ａ）と、本発明を適用した植物発生抑制具を施工した状態の概略拡大図（ｂ）である。
【図４】本発明を適用した植物発生抑制具を、歩車道境界ブロックとアスファルト層との境界に施工した他の例を示す概略図である。
【図５】従来の雑草防止型歩車道境界ブロックを示す概略図である。
【発明を実施するための形態】
【００１９】
以下、本発明の実施の形態について図面を参照しながら説明し、本発明の理解に供する。
図１は、本発明を適用した植物発生抑制具の一例を示す概略斜視図である。また、図２は、図１に示した植物発生抑制具の概略拡大正面図である。
【００２０】
図１に示す本発明の植物発生抑制具１は、構造物と道路のアスファルト層との境界に挿入可能に構成された本体２と、本体２の縁部から左右両方向に突出した突出片３（第１の突出片３Ａと第２の突出片３Ｂ）とを備える。
【００２１】
ここで、「構造物」とは、例えば、歩車道境界ブロック、塀ブロック、排水溝またはガードレールの支柱の基礎ブロックである。また、「道路」は、歩道と車道を含む。
【００２２】
また、図１から判るように、突出片３から本体２へ向かう断面形状は略Ｔ字形状である。
また、図２に示すように、本体２の略鉛直方向の断面形状は、くさび形状である。
【００２３】
また、図１に示す本発明の植物発生抑制具１は、本体２も突出片３も合成ゴムで構成されているが、このような材料に限定されるものではないことは勿論である。
また、本体２と突出片３の材質を互いに異ならせることもでき、例えば、突出片３を合成ゴムで構成し、本体をプラスチックで構成することもできる。
【００２４】
また、本体２や突出片３の材質を、構造物やアスファルト層と接着しやすい材質にしたり、本体２や突出片３の、構造物やアスファルト層と接触する面に、接着性の物質を付与したりすることで、構造物と本発明の植物発生抑制具１、ならびにアスファルト層と本発明の植物発生抑制具１とがより一層接着して、本発明の植物発生抑制具１と構造物の隙間、本発明の植物発生抑制具１とアスファルト層の隙間が低減されて、水がより一層、これら隙間に浸入し難くなる。
【００２５】
また、本体が構造物と道路のアスファルト層との境界に挿入可能に構成されていれば、本体の高さ、厚さ、そして長さは特に制限されないが、例えば、本体の高さは１０〜３０ｍｍ、本体の厚さは１〜３ｍｍとすることができ、本体の長さは、施工作業の状況に応じて１０〜５０ｍのうち任意の長さに切断して使用することができる。
【００２６】
ここで、本発明の植物発生抑制具が、構造物と道路のアスファルト層との境界に挿入可能に構成された本体と、本体の縁部から突出した突出片とを備えていれば、必ずしも突出片は、左右両方向に突出していなくてもよく、例えば、左右どちらか一方向に突出しているだけでもよい。
なお、突出片が、本体の縁部から左右どちらか一方に突出したものであれば、突出片から本体へ向かう断面形状は略Ｌ字形状となる。
【００２７】
しかし、突出片が、本体の縁部から左右両方向に突出していれば、構造物とアスファルト層の両方に突出片が接触でき、本体と構造物の僅かな隙間、および、本体とアスファルト層の僅かな隙間に、構造物やアスファルト層を伝って水が浸入することを抑制できるので好ましい。
【００２８】
図３は、本発明を適用した植物発生抑制具を、歩車道境界ブロックとアスファルト層との境界に施工する様子の一例を示す概略図（ａ）と、本発明を適用した植物発生抑制具を施工した状態の概略拡大図（ｂ）である。
【００２９】
例えば歩道の場合、図３に示すように、土６の上に、歩道のアスファルト層５が形成され、さらに、歩道のアスファルト層５を挟むようにしてアスファルト層５の両側に歩車道境界ブロック４が形成されている。
【００３０】
本発明の植物発生抑制具１の本体２を、歩車道境界ブロック４と歩道のアスファルト層５との境界に挿入する。
また、本体２は、これ以上挿入できない位置まで本体を挿入したときに、突出片が境界の外に位置し、かつ、突出片が構造物やアスファルト層に沿って接触できる位置にあるほどの高さを有するので、第１の突出片３Ａと第２の突出片３Ｂを、境界よりも外側に位置する、歩車道境界ブロック４の一部およびアスファルト層５の一部に接触させる。
【００３１】
そして、境界に挿入した本体２を、木ネジ７で境界に固定する。具体的には、例えば第１の突出片３Ａと第２の突出片３Ｂに木ネジ７を取付けて、本体２を固定する。その結果、図３（ｂ）に示す状態となる。なお、本体２に木ネジ７を取付けてもよいことは勿論である。
【００３２】
図４は、本発明を適用した植物発生抑制具を、歩車道境界ブロックとアスファルト層との境界に施工した他の例を示す概略図である。
図４に示す例では、歩車道境界ブロック４の上面の方が、歩道のアスファルト層５の上面よりも高い位置にある。
【００３３】
このような場合でも、本発明の植物発生抑制具１の突出片（第１の突出片３Ａおよび第２の突出片３Ｂ）は合成ゴムで構成されていて弾性を有するので、歩車道境界ブロック４に沿って第１の突出片３Ａが曲がり、歩車道境界ブロック４の一部に沿って接触することができる。
【００３４】
以上のように、本発明の植物発生抑制具は、構造物と道路のアスファルト層との境界に挿入可能に構成された本体を備えているので、構造物と道路のアスファルト層との境界を本体で埋めることができる。
【００３５】
また、本発明の植物発生抑制具は、本体の縁部から突出した突出片を備えているので、構造物と道路のアスファルト層との境界の外側に位置する、構造物の一部や道路のアスファルト層の一部に突出片を接触させて、本体と構造物の僅かな隙間、および、本体とアスファルト層の僅かな隙間に、構造物やアスファルト層を伝って水が浸入することを抑制できる。
【００３６】
従って、本発明の植物発生抑制具は、植物発生の要因となる水が、構造物と道路のアスファルト層との境界に侵入することを抑制できるので、構造物と道路のアスファルト層との境界に植物が発生することを抑制できる。
【００３７】
また、本発明の植物発生抑制具の施工方法も、このような本発明の植物発生抑制具を施工するので、構造物と道路のアスファルト層との境界に植物が発生することを抑制できる。
【符号の説明】
【００３８】
１    植物発生抑制
２    本体
３    突出片
３Ａ  第１の突出片
３Ｂ  第２の突出片
４    歩車道境界ブロック
５    アスファルト層
６    土
７    木ネジ
【図１】
2014070368.tif 000003
【図２】
2014070368.tif 000004
【図３】
2014070368.tif 000005
【図４】
2014070368.tif 000006
【図５】
2014070368.tif 000007